(57)【要約】【課題】チリ寸法の確保が容易でかつ枠体を建物躯体に対して固定するビスを強固に締め付けることのできるサッシの取付方法を提供する。【解決手段】枠体１の枠材１０にはその長手方向に沿って係合部２０ｃが形成され、係合部２０ｃの近傍に係止凸部２９ａとビス挿通孔１６が形成され、チリ出しブロック４０には係合部２０ｃに対してスライド係合可能な係止部４１と、係止凸部２９ａに対して弾性係合可能な弾性係止片４３と、ビス挿通孔４４とが形成され、枠材１０の係合部２０ｃにチリ出しブロック４０の係止部４１がスライド係合され、チリ出しブロック４０は弾性係止片４３が枠材１０の係止凸部２９ａに弾性係合により係止されることで長手方向に位置決めされると共に、枠材１０とチリ出しブロック４０に設けられたビス挿通孔１６を連通させ、固定ビスにより枠材１０とチリ出しブロック４０を建物躯体に固定する。【選択図】図５
2008184851.tif 000002
【特許請求の範囲】
【請求項１】
枠材を方形状に枠組みしてなる枠体を建物躯体に取付けるサッシの取付方法において、
前記枠体の枠材にはその長手方向に沿って係合部が形成されると共に、該係合部の近傍に係止凸部とビス挿通孔が長手方向に沿って複数形成され、前記枠材の外周面に取付けられるチリ出しブロックには前記係合部に対してスライド係合可能な係止部と、前記係止凸部に対して弾性係合可能な弾性係止片と、ビス挿通孔とが形成され、
前記枠材の係合部に前記チリ出しブロックの係止部が前記枠材の長手方向にスライド係合され、前記チリ出しブロックは弾性係止片が前記枠材の係止凸部に弾性係合により係止されることで長手方向に位置決めされると共に、前記枠材とチリ出しブロックに設けられたビス挿通孔を連通させ、固定ビスにより前記枠材とチリ出しブロックを建物躯体に固定することを特徴とするサッシの取付方法。
【請求項２】
前記枠材は隣接する枠材と連結するためのビスホールを長手方向に沿って備え、該ビスホールを前記係合部としたことを特徴とする請求項１記載のサッシの取付方法。
【請求項３】
前記枠材は複数の部材をビス止めにより連結してなり、前記係止凸部は前記枠材を連結するビスの先端部により構成されることを特徴とする請求項１または２記載のサッシの取付方法。
【請求項４】
枠材を方形状に枠組みしてなる枠体を建物躯体に取付けるサッシの取付方法において、
前記枠体の枠材にはその長手方向に沿って室内側と室外側に２つの係合凸条が形成されると共に、ビス挿通孔が長手方向に沿って複数形成され、一方の係合凸条には前記ビス挿通孔の近傍に係止凹部が長手方向に沿って複数形成され、前記枠材の外周面に取付けられるチリ出しブロックには前記一方の係合凸条の係止凹部に対して係合可能な係合突起部と、他方の係合凸条に対して係合可能な係止爪と、ビス挿通孔とが形成され、
前記枠材の係止凹部に前記チリ出しブロックの係合突起部が係合されると共に、前記枠材の他方の係合凸条に前記係止爪が係合されて、前記チリ出しブロックが長手方向に位置決めされると共に、前記枠材とチリ出しブロックに設けられたビス挿通孔を連通させ、固定ビスにより前記枠材とチリ出しブロックを建物躯体に固定することを特徴とするサッシの取付方法。
【請求項５】
前記チリ出しブロックには前記一方の係合凸条に対して弾性的に当接する弾性係止片が形成されることを特徴とする請求項４記載のサッシの取付方法。
【発明の詳細な説明】
【技術分野】
【０００１】
本発明は、サッシの建物躯体に対する取付方法に関し、特にチリ出しブロックを介して枠体を建物躯体に対しビス止め固定するサッシの取付方法に関する。
【背景技術】
【０００２】
サッシを建物躯体に取付けるには、枠材を方形状に枠組みした枠体を建物躯体の開口部内に挿入し、各枠材を建物躯体に対してビス止めすることによって固定する。このため、枠体の外周面と開口部の内周面との間には、枠体の挿入を可能とするための隙間（チリ）が必要である。
【０００３】
一方でチリが存在するため、枠体を建物躯体に対して固定するために複雑な固定部材を必要としたため、取付作業が繁雑になると共に、サッシの取付位置を左右のチリが均等になるように配置することが困難であった。このため、枠体にチリ出しガイドを設け、このチリ出しガイドに弾性的に変形する部分を形成して、左右のチリ寸法が均等となるように位置決めするものが知られている。このようなサッシの取付方法としては、例えば特許文献１に挙げるようなものがある。
【特許文献１】特開２００４−７６４３７号公報
【発明の開示】
【発明が解決しようとする課題】
【０００４】
しかし、従来のサッシの取付方法においても、枠体の左右両側に均等なチリ寸法を確保するためには、仮止めした上で位置決め調整を行う必要があり、手間がかかるものとなっていた。また、弾性的に変形する部分を有しているために、枠体を建物躯体に対して固定するビスを強く締め付けると、チリ出しガイドが変形するために、位置決め調整した枠体の位置がずれることがあった。このため、ビスを強固に締め付けることができなかった。
【０００５】
本発明は、上記課題を解決すべくなされたものであり、チリ寸法の確保が容易でかつ枠体を建物躯体に対して固定するビスを強固に締め付けることのできるサッシの取付方法を提供することを目的とする。
【課題を解決するための手段】
【０００６】
上記課題を解決するため、本発明に係るサッシの取付方法は、枠材を方形状に枠組みしてなる枠体を建物躯体に取付けるサッシの取付方法において、
前記枠体の枠材にはその長手方向に沿って係合部が形成されると共に、該係合部の近傍に係止凸部とビス挿通孔が長手方向に沿って複数形成され、前記枠材の外周面に取付けられるチリ出しブロックには前記係合部に対してスライド係合可能な係止部と、前記係止凸部に対して弾性係合可能な弾性係止片と、ビス挿通孔とが形成され、
前記枠材の係合部に前記チリ出しブロックの係止部が前記枠材の長手方向にスライド係合され、前記チリ出しブロックは弾性係止片が前記枠材の係止凸部に弾性係合により係止されることで長手方向に位置決めされると共に、前記枠材とチリ出しブロックに設けられたビス挿通孔を連通させ、固定ビスにより前記枠材とチリ出しブロックを建物躯体に固定することを特徴として構成されている。
【０００７】
また、本発明に係るサッシの取付方法は、前記枠材は隣接する枠材と連結するためのビスホールを長手方向に沿って備え、該ビスホールを前記係合部としたことを特徴として構成されている。
【０００８】
さらに、本発明に係るサッシの取付方法は、前記枠材は複数の部材をビス止めにより連結してなり、前記係止凸部は前記枠材を連結するビスの先端部により構成されることを特徴として構成されている。
【０００９】
さらにまた、本発明に係るサッシの取付方法は、枠材を方形状に枠組みしてなる枠体を建物躯体に取付けるサッシの取付方法において、
前記枠体の枠材にはその長手方向に沿って室内側と室外側に２つの係合凸条が形成されると共に、ビス挿通孔が長手方向に沿って複数形成され、一方の係合凸条には前記ビス挿通孔の近傍に係止凹部が長手方向に沿って複数形成され、前記枠材の外周面に取付けられるチリ出しブロックには前記一方の係合凸条の係止凹部に対して係合可能な係合突起部と、他方の係合凸条に対して係合可能な係止爪と、ビス挿通孔とが形成され、
前記枠材の係止凹部に前記チリ出しブロックの係合突起部が係合されると共に、前記枠材の他方の係合凸条に前記係止爪が係合されて、前記チリ出しブロックが長手方向に位置決めされると共に、前記枠材とチリ出しブロックに設けられたビス挿通孔を連通させ、固定ビスにより前記枠材とチリ出しブロックを建物躯体に固定することを特徴として構成されている。
【００１０】
そして、本発明に係るサッシの取付方法は、前記チリ出しブロックには前記一方の係合凸条に対して弾性的に当接する弾性係止片が形成されることを特徴として構成されている。
【発明の効果】
【００１１】
本発明に係るサッシの取付方法によれば、枠材の係合部にチリ出しブロックの係止部が枠材の長手方向にスライド係合され、チリ出しブロックは弾性係止片が枠材の係止凸部に弾性係合により係止されることで長手方向に位置決めされると共に、枠材とチリ出しブロックに設けられたビス挿通孔を連通させ、固定ビスにより枠材とチリ出しブロックを建物躯体に固定することにより、チリ出しブロックを枠材と共に建物躯体に固定するだけで、チリ寸法を精度よく確保することができ、また固定ビスを強固に締め付けることができる。また、チリ出しブロックの位置決め及び固定を容易にすることができる。
【００１２】
また、本発明に係るサッシの取付方法によれば、枠材は隣接する枠材と連結するためのビスホールを長手方向に沿って備え、該ビスホールを係合部としたことにより、枠材にチリ出しブロック固定のための取付部を新たに設ける必要がなく、チリ出しブロックを用いない他のサッシの枠材との共用化を図ることができる。
【００１３】
さらに、本発明に係るサッシの取付方法によれば、枠材は複数の部材をビス止めにより連結してなり、係止凸部は枠材を連結するビスの先端部により構成されることにより、枠材にチリ出しブロック固定のための構成を新たに設ける必要がなく、そのための枠の材料や加工を不要とすることができる。
【００１４】
さらにまた、本発明に係るサッシの取付方法によれば、枠材の係止凹部にチリ出しブロックの係合突起部が係合されると共に、枠材の他方の係合凸条に係止爪が係合されて、チリ出しブロックが長手方向に位置決めされると共に、枠材とチリ出しブロックに設けられたビス挿通孔を連通させ、固定ビスにより枠材とチリ出しブロックを建物躯体に固定することにより、チリ出しブロックを枠材と共に建物躯体に固定するだけで、チリ寸法を精度よく確保することができ、また固定ビスを強固に締め付けることができる。また、チリ出しブロックの位置決め及び固定を容易にすることができる。
【００１５】
そして、本発明に係るサッシの取付方法によれば、チリ出しブロックには一方の係合凸条に対して弾性的に当接する弾性係止片が形成されることにより、係合突起部の係止凹部に対する係合状態を弾性的に維持することができ、チリ出しブロックの位置決め時のがたつきを防止して、より安定的にチリ出しブロックを取付けることができる。
【発明を実施するための最良の形態】
【００１６】
本発明のサッシの実施形態について図面に沿って詳細に説明する。図１には本実施形態におけるサッシの縦断面図を、図２にはその横断面図を、それぞれ示している。これら各図に示すように、本実施形態におけるサッシは、建物躯体の開口部Ａに取付けられる方形状の枠体１内に内障子２と外障子３が引き違い状で開閉自在となるように納められてなるものである。内障子２と外障子３は、方形状に框組みされてなる框体４の内部にガラス体５を納めて構成される。
【００１７】
枠体１は、枠材である上枠１０と下枠１１及び左右の縦枠１２、１２を方形状に枠組みしてなるものである。上枠１０は金属上枠２０とその室内側に取付けられる樹脂上枠２１とからなり、下枠１１は金属下枠２２とその室内側に取付けられる樹脂下枠２３とからなり、縦枠１２は金属縦枠２４とその室内側に取付けられる樹脂縦枠２５とからなっている。金属上枠２０と金属下枠２２及び金属縦枠２４は、いずれもアルミの押出型材によって形成される。樹脂上枠２１と樹脂下枠２３及び樹脂縦枠２５は、いずれも合成樹脂によって形成され、また室内側端部には四周に渡って室内側に向かって延出されるアングル部１３が一体的に形成されている。
【００１８】
建物躯体は、鉄骨によって形成されている。このため、開口部Ａを構成する部分にも、上下左右にそれぞれ鉄骨９が配置されている。上枠１０及び左右の縦枠１２、１２は、それぞれ鉄骨９の内周面９ａに対向し、所定寸法の隙間（チリ）を介して鉄骨９に対してビス止め固定される。このチリの寸法を正確に設定するため、上枠１０と鉄骨９の内周面９ａとの間、及び縦枠１２と鉄骨９の内周面９ａとの間には、それぞれチリ出しブロック４０が設けられる。なお、下枠１１は、開口部Ａを構成する鉄骨９に直接載置され、鉄骨９の室外面に対してビス止め固定される。
【００１９】
框体３は、上框３０と下框３１及び左右の縦框３２、３２を方形状に框組みしてなるものである。上框３０は金属上框３０ａとその室内側に取付けられる樹脂上框３０ｂとからなり、下框３１は金属下框３１ａとその室内側に取付けられる樹脂下框３１ｂとからなり、縦框３２は金属縦框３２ａとその室内側に取付けられる樹脂縦框３２ｂとからなっている。また、各框材の内周面には呑み込み溝３３が形成され、ガラス体５はグレチャン６を介してこの呑み込み溝３３に呑み込まれ、固定される。
【００２０】
次に、上枠１０の構成についてより詳細に説明する。図３には、上枠１０の拡大図を示している。上枠１０は、室外側に配置される金属上枠２０と、外レール構成部２６及び内レール構成部２７の二部材からなる樹脂上枠２１と、内レール構成部２７の内部に設けられる金属製の補強材２８との、合計四部材によって構成されている。
【００２１】
金属上枠２０には、外レール部２０ａが形成され、その室内側には樹脂上枠２１を構成する外レール構成部２６が係合固定される。これによって、外障子３が案内される外レール１４が構成される。また、金属上枠２０は外レール部２０ａより室内側に延びる室内延出部２０ｂを有しており、その室内側端部には縦枠１２との連結において両端部からビスが螺合されるビスホール２０ｃが、断面円弧状となるように長手方向に沿って形成されている。
【００２２】
外レール構成部２６は、金属上枠２０の外レール部２０ａより室内側の内周面も覆っており、さらに金属上枠２０の室内延出部２０ｂの下面に対し重合状に当接する室内側部２６ａを有している。室内側部２６ａの室内側端部は、略Ｌ字状となるように形成されており、金属上枠２０のビスホール２０ｃに対して係合固定される。
【００２３】
内レール構成部２７には、室内側端部に前述のアングル部１３が形成されると共に、内障子２を案内する内レール１５が形成されている。また、内レール１５よりも室外側に延びる室外側部２７ａを有している。補強材２８は内レール構成部２７の内面側に略適合する形状を有しており、内レール構成部２７の室外側部２７ａの内面に重合状に当接する室外側部２８ａが形成されている。補強材２８の室外側部２８ａは、外レール構成部２６を構成する室内側部２６ａの下面に対し重合状に当接する。
【００２４】
したがって、上枠２０を構成する四部材は、外レール１４と内レール１５の間において、下から順に内レール構成部２７の室外側部２７ａと、補強材２８の室外側部２８ａと、外レール構成部２６の室内側部２６ａと、金属上枠２０の室内延出部２０ｂとが重合状とされており、これらを上枠固定ビス２９によって内周面側からビス止め固定する。ここで、上枠固定ビス２９の先端部２９ａは、金属上枠２０の外周面側に突出するようにされている。
【００２５】
次に、チリ出しブロック４０について説明する。図４には、チリ出しブロック４０の斜視図を示している。この図に示すように、チリ出しブロック４０は全体が一体のブロック状に形成されており、下面からは突出状にそれぞれ係止部４１と、係止部４１に隣接する中央寄りに配置されるガイド部４２と、ガイド部４２を挟んで係止部４１と反対側に配置される係合爪４６とが形成されている。
【００２６】
チリ出しブロック４０の略中央位置には、ビスを貫通させることのできるビス挿通孔４４が形成されている。また、チリ出しブロック４０の両側面部は、それぞれ室外側が突出状に形成されて係合突起部４５を構成している。さらに、チリ出しブロック４０の室外面側には、両端部から中央方向に向かって延び、室内外方向に弾性を有するように形成された弾性係止片４３が設けられている。この弾性係止片４３は、中央部において互いに対向するように形成されている。
【００２７】
図３に示すように、チリ出しブロック４０は、上枠１０の外周面側であって、見込方向には内レール１５からアングル部１３にかけての領域に取付けられる。チリ出しブロック４０の係止部４１は、金属上枠２０のビスホール２０ｃに対して係合固定される。係止部４１は、根元部より先端部の方が幅広となるように形成されているため、上枠１０の長手方向に沿って形成された係合部としてのビスホール２０ｃに対し、スライド自在に係合することができる。また、ガイド部４２は、係止部４１がビスホール２０ｃに係合した際に、ビスホール２０ｃに対して係合固定される外レール構成部２６の室内面に対して当接し、チリ出しブロック４０の長手方向へのスライドをガイドする。
【００２８】
チリ出しブロック４０の弾性係止片４３は、上枠１０の各部材を連結する上枠固定ビス２９の先端部２９ａに対して弾性係合し、チリ出しブロック４０の長手方向における位置決めがなされる。上枠固定ビス２９は、上枠１０において長手方向に所定間隔で複数設けられており、各上枠固定ビス２９の位置にそれぞれチリ出しブロック４０が設けられる。また、上枠１０を構成する内レール構成部２７及び補強材２８には、上枠固定ビス２９と同じ長手方向位置であって、内レール１５とアングル部１３の間の位置に、ビス挿通孔１６が形成されている。このビス挿通孔１６は、チリ出しブロック４０が長手方向に位置決めされた状態で、チリ出しブロック４０のビス挿通孔４４と連通するものであり、上枠１０を鉄骨９に対してビス止めする際には、連通したこれらビス挿通孔１６、４４にビス９ｂが挿入される。
【００２９】
図５には、上枠１０の平面図を示している。この図には、チリ出しブロック４０について、所定の位置に取付ける途中の状態を符号４０ａ、４０ｂ、４０ｃで３つ示している。この図に示すように、上枠１０の外周面には、係合部となるビスホール２０ｃが、端部から長手方向に沿って形成されている。また、係止凸部となる上枠固定ビス２９の先端部２９ａが、長手方向に所定間隔で複数設けられると共に、それらと同じ長手方向位置にビス挿通孔１６がそれぞれ設けられている。
【００３０】
チリ出しブロック４０は、上枠１０と縦枠１２とが連結される前の段階において、符号４０ａで示すように上枠１０の端部側からスライドされる。この際、前述のようにチリ出しブロック４０の係止部４１は、ビスホール２０ｃの端部からスライド係合し、チリ出しブロック４０を上枠１０の長手方向にスライドさせることができる。
【００３１】
チリ出しブロック４０をスライドさせて、符号４０ｂで示すように上枠固定ビス２９に近づけると、先端部２９ａによってチリ出しブロック４０の弾性係止片４３が内側に向かって変形する。さらにスライドさせると、符号４０ｃで示すように先端部２９ａは２つの弾性係止片４３間に係合した状態となり、チリ出しブロック４０を長手方向に位置決めすることができる。
【００３２】
チリ出しブロック４０が長手方向に位置決めされた状態で、上枠１０のビス挿通孔１６とチリ出しブロック４０のビス挿通孔４４とが連通した状態となる。上枠１０を鉄骨９に対して固定するためのビスは、上枠１０の内周面側から挿入される。
【００３３】
また、弾性係止片４３が上枠固定ビス２９の先端部２９ａに係合したチリ出しブロック４０を、さらに上枠１０の長手方向にスライドさせるには、スライドさせようとする方向と反対側の弾性係止片４３を変形させ、先端部２９ａに対する係合状態を解除する。これによりチリ出しブロック４０を上枠１０の長手方向にさらにスライドさせることができる。
【００３４】
上枠固定ビス２９及びビス挿通孔１６は、上枠１０の長手方向に所定間隔で複数設けられているので、チリ出しブロック４０はその各々に対して複数設けられる。そして、それぞれについて、上枠１０からチリ出しブロック４０を介して建物躯体を構成する鉄骨９に対してビス止めがなされる。なお、チリ出しブロック４０の上枠１０に対する取付は、ビスホール２０ｃの端部からスライドさせる必要があるため、枠体１を枠組みする前に行われる。
【００３５】
次に、縦枠１２におけるチリ出しブロック４０の固定について説明する。図６には、縦枠１２の拡大図を示している。縦枠１２に設けられるチリ出しブロック４０は、上枠１０に設けられるチリ出しブロック４０と同一形状を有している。すなわち、チリ出しブロック４０は底面に係止部４１とガイド部４２及び係合爪４６を有し、さらに弾性係止片４３とビス挿通孔４４及び係合突起部４５を備えるものである。縦枠１２に対しては、チリ出しブロック４０を上枠１０の場合のようにスライドさせるのではなく、所定位置に直接押し込むことにより取付けられる。
【００３６】
縦枠１２を構成する金属縦枠２４には、２つの係合凸条２４ａ、２４ｂが形成されている。係合凸条２４ａ、２４ｂは、それぞれ断面略Ｌ字状に形成されており、室外側に第１の係合凸条２４ａが、室内側に第２の係合凸条２４ｂが、それぞれ形成されている。また、図７には縦枠１２の側面図について示している。この図に示すように、縦枠１２の第１の係合凸条２４ａと第２の係合凸条２４ｂとの間には、ビス挿通孔１６が長手方向に所定間隔で形成されている。また、室外側に形成される第１の係合凸条２４ａのビス挿通孔１６近傍の位置には、上面が切り欠かれた係止凹部２４ｃが形成されている。
【００３７】
縦枠１２に対してチリ出しブロック４０は、両側面に形成された係合突起部４５が、それぞれ第１の係合凸条２４ａに形成された係止凹部２４ｃに対して係合し、長手方向の位置決めがなされる。また、弾性係止片４３が第１の係合凸条２４ａに対して弾接するため、内側に向かって変形した状態となり、係合突起部４５が係止凹部２４ｃから外れにくいようにすることができる。
【００３８】
また、図６に示すように、チリ出しブロック４０の底面に形成される係合爪４６が、金属縦枠２４の室内側に形成される第２の係合凸条２４ｂに対して係合される。このように、縦枠１２に取付けられるチリ出しブロック４０は、室外側において係合突起部４５が第１の係合凸条２４ａの係止凹部２４ｃに係合し、室内側において係合爪４６が第２の係合凸条２４ｂに係合し、これによって固定がなされる。
【００３９】
図８には、チリ出しブロック４０を取付ける際の状態を表した縦枠１２の拡大図を示している。この図に示すように、チリ出しブロック４０を縦枠１２に対して取付ける際には、チリ出しブロック４０の係合突起部４５を第１の係合凸条２４ａの係止凹部２４ｃの位置に合わせた上で、チリ出しブロック４０の室外側に形成される弾性係止片４３を、第１の係合凸条２４ａに対して押し付けておき、続いてチリ出しブロック４０の室内側に形成される係合爪４６を、第２の係合凸条２４ｂに対して係合させる。これによって、チリ出しブロック４０を縦枠１２の所定位置に対し、直接取付けることができる。
【００４０】
図７に示すように、チリ出しブロック４０が係合突起部４５及び係合爪４６によって金属縦枠２４に位置決め固定された状態で、縦枠１２に形成されるビス挿通孔１６とチリ出しブロック４０に形成されるビス挿通孔４４が連通した状態となる。図２に示すように、縦枠１２の建物躯体に対する固定にあたっては、上枠１０の場合と同様に、縦枠１２の内周面側から連通したビス挿通孔１６、４４にビス９ｂが挿入されて、開口部を構成する鉄骨９に対して縦枠１２及びチリ出しブロック４０がビス止め固定される。
【００４１】
このように、両側の縦枠１２の外周面に係合凸条２４ａ、２４ｂと係合するチリ出しブロック４０を設け、縦枠１２のビス挿通孔１６とチリ出しブロック４０のビス挿通孔４４とを連通させて、建物躯体を構成する鉄骨９に対してこれらをビス止め固定するようにしたので、左右に均等なチリ寸法を容易に確保することができると共に、ビスを強固に締め付けることができて、枠体１を建物躯体に対して強固に固定することができる。
【００４２】
以上、本発明の実施形態について説明したが、本発明の適用は本実施形態に限られるものではなく、その技術的思想の範囲内において様々に適用されうるものである。
【図面の簡単な説明】
【００４３】
【図１】本実施形態におけるサッシの縦断面図である。
【図２】本実施形態におけるサッシの横断面図である。
【図３】上枠の拡大断面図である。
【図４】チリ出しブロックの斜視図である。
【図５】上枠の平面図である。
【図６】縦枠の拡大断面図である。
【図７】縦枠の側面図である。
【図８】チリ出しブロックを取付ける際の状態を表した縦枠の拡大断面図である。
【符号の説明】
【００４４】
１    枠体
２    内障子
３    外障子
４    框体
５    ガラス体
９    鉄骨
９ａ  内周面
１０    上枠
１１    下枠
１２    縦枠
１６    ビス挿通孔
２０    金属上枠
２０ｃ  ビスホール
２１    樹脂上枠
２４    金属縦枠
２４ａ  第１の係合凸条
２４ｂ  第２の係合凸条
２４ｃ  係止凹部
２５    樹脂縦枠
４０    チリ出しブロック
４１    係止部
４２    ガイド部
４３    弾性係止片
４４    ビス挿通孔
４５    係合突起部
４６    係止爪
【図１】
2008184851.tif 000003
【図２】
2008184851.tif 000004
【図３】
2008184851.tif 000005
【図４】
2008184851.tif 000006
【図５】
2008184851.tif 000007
【図６】
2008184851.tif 000008
【図７】
2008184851.tif 000009
【図８】
2008184851.tif 000010